(57)【特許請求の範囲】
【請求項１】
レンズ部を備える一対のアイカップと、
少なくとも一端部に長手方向に配列された複数の係止部を備え、前記アイカップの対向する端部を連結するための連結バンドと、
前記アイカップの対向する端部の中の少なくとも一つから延長し、前記連結バンドの一端部を着用者の顔面側に突出しないように収容して固定するバンドホルダーとを含み、
前記バンドホルダーは、自由端に形成され、前記連結バンドの一端部が通過する通過口と、前記通過口に位置して、前記連結バンドの係止部に係止される第１固定ピンと、前記通過口に前記第１固定ピンを挟んで位置し、前記連結バンドの幅方向での辺縁に係止される一対の第２固定ピンとを備えるゴーグル。
【請求項２】
前記第１固定ピンは、前記連結バンドの前記バンドホルダーへの挿入方向で傾斜された斜面と、前記斜面の反対側に前記係止部に係止される係止面とを有する請求項１に記載のゴーグル。
【請求項３】
前記第１固定ピンの前端と前記第２固定ピンの後端は前記挿入方向及び前記挿入方向に直交する方向で離隔されている請求項２に記載のゴーグル。
【請求項４】
前記第２固定ピンは前記挿入方向に対して鈍角に傾斜した斜面を有する請求項２に記載のゴーグル。
【請求項５】
前記連結バンドの係止部は前記連結バンドを貫通する係止孔を含む請求項１に記載のゴーグル。
【請求項６】
前記係止孔は前記第１固定ピンに面する側に前記連結バンドの前記バンドホルダーへの挿入方向で傾斜された斜面と、前記斜面の反対側に前記第１固定ピンに係止される係止面とを有する請求項５に記載のゴーグル。
【請求項７】
前記連結バンドの係止部は係止溝を含む請求項１に記載のゴーグル。
【請求項８】
前記係止溝は前記第１固定ピンに面する側に前記連結バンドの前記バンドホルダーへの挿入方向で傾斜された斜面と、前記斜面の反対側に前記第１固定ピンに係止される係止面とを有する請求項７に記載のゴーグル。
【請求項９】
前記バンドホルダーは前記アイカップの対向する端部の中の少なくとも一つで延長して対向する内壁及び外壁と、前記内壁と外壁との間で延長する一対の側壁とを有し、
前記通過口は前記内壁の自由端及び前記外壁の自由端に形成され、
前記第１固定ピンは前記内壁及び外壁の中の一つの自由端に位置し、
前記第２固定ピンは前記側壁に位置する請求項１に記載のゴーグル。
【発明の詳細な説明】
【技術分野】
【０００１】
本発明は一対のアイカップを有するゴーグルに関する。詳しくは、本発明は一対のアイカップの間の間隔が調節可能なゴーグルに関する。
【背景技術】
【０００２】
ゴーグルは着用者の頭に付着して着用者の目をカバーして保護する。ゴーグルの一例として、着用者の左右の目にそれぞれ置かれる一対のアイカップ（ｅｙｅｃｕｐ）の対向する端部が連結バンド（ｂｒｉｄｇｅ  ｂａｎｄ）で連結されているスイミングゴーグル（ｓｗｉｍｍｉｎｇ  ｇｏｇｇｌｅ）がある。
【０００３】
従来技術のスイミングゴーグルの一例として、連結バンドとアイカップの内側端部に設けられた支持具が嵌合されるスイミングゴーグルがある。このようなスイミングゴーグルでは、連結バンドと支持具が一ヶ所のみで結合されるため、アイカップの間の間隔を調節することができない。
【０００４】
従来技術のスイミングゴーグルの他の例として、アイカップに設けられた支持具と連結バンドが複数の個所で結合されて、アイカップの間の間隔が調節できるスイミングゴーグルがある。例えば、国際出願公開公報第ＷＯ０１／８０９５６Ａ１号は、アイカップの間の間隔が連結バンドを通じて調節できるスイミングゴーグルを開示する。この文献に開示されている従来技術のスイミングゴーグルでは、連結バンドに設けられる複数の貫通孔の中の一つにアイカップに設けられたフック部が係止されてアイカップと連結バンドとが連結される。また、アイカップのフック部が複数の貫通孔の中の内側または外側の貫通孔に係止されてアイカップの間の間隔が調節される。
【発明の開示】
【発明が解決しようとする課題】
【０００５】
連結バンドに設けられる複数の貫通孔にアイカップに設けられたフック部が係止される従来技術のスイミングゴーグルにおいて、アイカップのフック部が内側の貫通孔に係止されることによって、連結バンドの一端が上記フック部の下側に突出されて着用者の顔面または鼻面に接触する。それにより、突出された連結バンドの一端が着用者に不快感や異物感を与えることができる。特に、スイミングゴーグルが急に外されたりスイミングゴーグルに前方から衝撃または力が加えられる場合、連結バンドの一端が着用者の顔面または鼻面を摺れて着用者の顔面を傷つけることもある。
【０００６】
また、前述した従来技術のスイミングゴーグルにおいて、アイカップの間の間隔を調節するためには、アイカップのフック部が連結バンドの貫通孔の中の一つから他の一つに再び係止されなければならない。連結バンドとフック部との間の噛み合いを解除するためには、連結バンドはフック部が貫通孔から脱離されるように伸長されなければならない。そこで、着用者は連結バンドの伸長のために、アイカップに対して連結バンドを強い力で引っ張ることになり、これは着用者に使用上の不便さを与える。
【０００７】
本発明は前述した従来技術の問題点を解決するために案出されたもので、本発明は連結バンドの一端が着用者の顔面側に突出しないで、アイカップの間の間隔が連結バンドを通じて調節できるように構成されたゴーグルを提供する。
【０００８】
また、本発明はアイカップと連結バンドが簡単で速かに複数の個所で固定されるように構成されたゴーグルを提供する。
【課題を解決するための手段】
【０００９】
本発明の例示的実施例において、ゴーグルは、レンズ部を備える一対のアイカップと、アイカップの対向する端部を連結するための連結バンドと、アイカップの対向する端部の中の少なくとも一つから延長するバンドホルダーとを含む。上記連結バンドは少なくとも一端部に長手方向に配列された複数の係止部を備える。上記バンドホルダーは上記連結バンドの一端部を収容して固定する。上記バンドホルダーは、その自由端に形成されて上記連結バンドの一端部が通過する通過口と、上記通過口に位置して、上記連結バンドの係止部に係止される第１固定ピンと、上記通過口に上記第１固定ピンを挟んで位置して、上記連結バンドの幅方向での辺縁に係止される一対の第２固定ピンとを備える。
【００１０】
本発明の実施例において、上記第１固定ピンは上記連結バンドの上記バンドホルダーへの挿入方向で傾斜された斜面と上記斜面の反対側に上記係止部に係止される係止面とを有する。また、上記第１固定ピンの前端と上記第２固定ピンの後端は上記挿入方向及び上記挿入方向に直交する方向で離隔される。また、上記第２固定ピンは上記挿入方向に対して鈍角で傾斜した斜面を有する。
【００１１】
本発明の実施例において、上記連結バンドの係止部は上記連結バンドを貫通する係止孔を含む。上記係止孔は上記第１固定ピンに面する側に上記連結バンドの上記バンドホルダーへの挿入方向で傾斜した斜面と上記斜面の反対側に上記第１固定ピンに係止される係止面とを有する。
【００１２】
本発明の実施例において、上記連結バンドの係止部は係止溝を含む。上記係止溝は上記第１固定ピンに面する側に上記連結バンドの上記バンドホルダーへの挿入方向で傾斜された斜面と上記斜面の反対側に上記第１固定ピンに係止される係止面とを有する。
【００１３】
本発明の実施例において、上記バンドホルダーは上記アイカップの対向する端部の中の少なくとも一つから延長し、対向する内壁及び外壁と、上記内壁と外壁との間で延長する一対の側壁とを有する。上記通過口は上記内壁の自由端及び上記外壁の自由端に形成される。上記第１固定ピンは上記内壁及び外壁の中の一つの自由端に位置し、上記第２固定ピンは上記側壁に位置する。
【発明の効果】
【００１４】
本発明の実施例によるゴーグルによれば、アイカップを相互連結する連結バンドがバンドホルダーに迅速で簡単に複数の個所で固定されて、アイカップの間の間隔が容易に調節することができる。また、連結バンドがバンドホルダー内に収容されて、着用者の顔面側に突出しないので、連結バンドは着用者の顔面に傷をつけない。
【図面の簡単な説明】
【００１５】
【図１】本発明の一実施例によるゴーグルを示す正面図である。
【図２】右眼側アイカップと連結バンドを示す斜視図である。
【図３】図２に示した右眼側アイカップと連結バンドを他の方向から示す斜視図である。
【図４】図２に示したフレーム部、バンドホルダー及び連結バンドの縦断面を示す斜視図である。
【図５】図２に示したバンドホルダーの自由端を示す拡大斜視図である。
【図６】図２に示したバンドホルダーの自由端を示す拡大縦断面図である。
【図７】連結バンドがバンドホルダーに係止孔の中の一つを通じて固定されている状態を示す斜視図である。
【図８】図７に示した状態から連結バンドをアイカップに対して捻った状態を示す斜視図である。
【図９】図８に示した状態から連結バンドをアイカップから所定長さだけ抜いた状態を示す斜視図である。
【図１０】図９に示した状態から連結バンドをバンドホルダーに係止孔の中の他の一つを通じて固定した状態を示す斜視図である。
【図１１】連結バンドの他の例を示す縦断面図である。
【図１２】連結バンドのまた他の例を示す斜視図である。
【図１３】右眼側アイカップと係止溝を有する連結バンドを示す斜視図である。
【図１４】図１３に示した連結バンドの縦断面図である。
【図１５】図１３に示した連結バンドがバンドホルダーに係止溝の中の一つを通じて固定されている状態を示す部分断面図である。
【図１６】図１５に示した状態から連結バンドをアイカップに対して押し入れる状態を示す部分断面図である。
【図１７】図１６に示した状態から連結バンドをバンドホルダーに係止溝の中の他の一つを通じて固定した状態を示す部分断面図である。
【図１８】他の例の第１固定ピンと図１１に示した連結バンドを備えるゴーグルを示す部分断面図である。
【図１９】他の例の第１固定ピンと図１４に示した連結バンドを備えるゴーグルを示す部分断面図である。
【発明を実施するための形態】
【００１６】
添付された図面を参照して本発明のゴーグルの実施例を説明する。図面で対応する要素または部品には同じ参照番号を付ける。
【００１７】
本明細書で用いられた「前方」、「前」などの方向指示語は、着用者がゴーグルを着用して注視する方向を意味し、「後方」、「後」などの方向指示語は、その反対方向を意味する。また、本明細書で用いられた「内側」、「内」などの方向指示語は、ゴーグルの中心を向ける方向を意味し、「外側」、「外」などの方向指示語は、その反対方向を意味する。
【００１８】
実施例によるゴーグルはスイミングゴーグルとして用いることができる。実施例によるゴーグルの適用例がスイミングゴーグルに限定されるのではない。本発明の実施例によるゴーグルは着用者の頭に付着されて着用者の目をカバーして保護するために用いられることができる。
【００１９】
本発明の実施例によるゴーグルは、着用者の左右目にそれぞれ位置する一対のアイカップを有する。本発明の実施例によるゴーグルにおいて、上記一対のアイカップは、これらの対向する端部、即ちアイカップの内側端部に設けられたバンドホルダーに連結バンドの一端側の一部が収容されて固定されることによって、連結バンドを介して連結される。本発明の実施例によるゴーグルにおいて、上記連結バンドは上記バンドホルダーの自由端に形成された開口を通じてバンドホルダーの内部に挿入したりバンドホルダーの外部へ抜いたりする。上記バンドホルダーは上記自由端に連結バンドの一端側の一部が通過する通過口と、上記通過口と連通されており、連結バンドの一端側の一部が収容される収容空間とを有する。一実施例として、上記バンドホルダーは一対の対向する内壁及び外壁と、上記内壁と外壁との間で延長する一対の側壁とを有し、上記内壁及び外壁と側壁が規定する空間が上記収容空間になる。また、上記内壁及び外壁の自由端が上記バンドホルダーの自由端になって上記通過口を規定する。また、上記側壁の自由端が上記内壁及び外壁の自由端とともに上記通過口を規定することもできる。
【００２０】
本発明の実施例によるゴーグルにおいて、上記アイカップの間の間隔は上記連結バンドと上記バンドホルダーが複数の箇所で互いに固定されることによって調節される。上記固定作用は連結バンドに設けられた係止部とバンドホルダーに設けられた固定部との間の係止、嵌合などによって達成される。本発明の実施例によるゴーグルにおいて、連結バンドの上記係止部は、連結バンドの長手方向に配列されて連結バンドを貫通した複数の係止孔、または連結バンドの長手方向に配列されて連結バンドに所定深さで形成された複数の係止溝を含む。バンドホルダーの上記固定部は連結バンドの係止部に係止される第１固定ピンと、連結バンドの幅方向の辺縁に係止される一対の第２固定ピンとを含む。上記第１固定ピンは上記通過口に位置し、上記第２固定ピンは上記通過口に上記第１固定ピンを挟んで位置する。また、上記第２固定ピンの後端は上記第１固定ピンの前端より外側に位置する。
【００２１】
本発明の実施例によるゴーグルにおいて、連結バンドをバンドホルダーに押し込んだり挿入したりすれば、連結バンドの幅方向の辺縁が第２固定ピンに係止されたまま、連結バンドの係止部が上記第１固定ピンを順に通過し、連結バンドがバンドホルダーの内方へ移動しながらアイカップの間の間隔が縮まる。連結バンドの円滑に押込みまたは挿入するために、連結バンドの係止部及び第１固定ピンの中の少なくとも一つまたは二つともは連結バンドの押込み方向または挿入方向に対して鋭角に傾斜された斜面を有する。
【００２２】
本発明の実施例によるゴーグルにおいて、アイカップの間の間隔の拡大は、連結バンドをバンドホルダーから抜いて連結バンドの係止部と第１固定ピンを再結合させて達成される。連結バンドを抜く時、連結バンドを捻って一側辺縁と第２固定ピンの中の何れか一つの間の係止状態を解除した後、または両側辺縁と第２固定ピンとの係止状態を解除した後、連結バンドをバンドホルダーから抜くことができる。
【００２３】
図１〜図１０は本発明の一実施例によるゴーグル１００とこれを構成する部品を示す。図１を参照すれば、ゴーグル１００は一対のアイカップ１１０Ｌ、１１０Ｒと、アイカップ１１０Ｌ、１１０Ｒの外側端部に連結されるヘッドストラップ１２０と、両端部がアイカップ１１０Ｌ、１１０Ｒの対向する内側端部にそれぞれ結合されてアイカップ１１０Ｌ、１１０Ｒを相互連結する連結バンド１３０と、アイカップ１１０Ｌ、１１０Ｒの対向する内側端部にそれぞれ配置され、連結バンド１３０の一端部または一端部側の一部を収容して固定するバンドホルダー１４０とを備える。
【００２４】
アイカップ１１０Ｌは着用者の左眼上に位置し、アイカップ１１０Ｒは着用者の右眼上に位置する。アイカップ１１０Ｌ、１１０Ｒはゴーグル１００の中心を基準に対称な形状を有し、同じ要素または部品で構成される。
【００２５】
図２及び図３によれば、各アイカップ１１０Ｌ、１１０Ｒはレンズ部１１１と、フレーム部１１２と、ガスケット１１３とを有する。レンズ部１１１は着用者の目の形状に対応するように円形または楕円形を有する。フレーム部１１２はレンズ部１１１の周辺に沿って延長される。レンズ部１１１とフレーム部１１２は一体に形成されてもよく、それぞれを製造した後に一体に結合されてもよい。レンズ部１１１とフレーム部１１２はプラスチック材料を用いて透明に形成することができる。または、レンズ部１１１のみ透明に形成することができ、フレーム部１１２は半透明または不透明に形成することができる。ガスケット１１３はフレーム部１１２の後端周辺に沿って付着されている。ガスケット１１３はゴムまたはエラストマー材料で形成され、ゴーグルの着用時、着用者の顔面上に目もとに沿って密着される。
【００２６】
ヘッドストラップ１２０は伸縮性を有する柔軟なゴム、プラスチックまたはエラストマー材料で形成される。ヘッドストラップ１２０は糸状、帯状またはこれらを組合せた形状を有することができる。ヘッドストラップ１２０はゴーグルの着用時、着用者の頭に弾力的に密着し、ゴーグル１００を着用者の頭に固定する。ヘッドストラップ１２０はアイカップ１１０Ｌ、１１０Ｒの外側端部、詳細には、フレーム部１１２の外側端部に連結される。このような連結のために、ゴーグル１００はヘッドストラップ連結装置１２１を備える。この実施例で、ヘッドストラップ連結装置１２１はフレーム部１１２の外側端部に形成された通孔を含む。他の実施例において、上記ヘッドストラップ連結装置はフレーム部１１２の外側端部付近に配置されて、ヘッドストラップ１２０に複数の箇所で結合するように構成されることができる。
【００２７】
連結バンド１３０はアイカップ１１０Ｌ、１１０Ｒを相互連結する。連結バンド１３０は硬質または軟質のゴム、プラスチックまたはエラストマー材料で形成することができる。
【００２８】
バンドホルダー１４０は連結バンド１３０の一端部または一端側の一部を収容する。バンドホルダー１４０はアイカップ１１０Ｌ、１１０Ｒの対向する端部、即ち各アイカップ１１０Ｌ、１１０Ｒの内側端部に配置されている。この実施例において、バンドホルダー１４０はフレーム部１１２の内側端部にそれぞれ配置されており、フレーム部１１２に一体に形成されている。他の実施例において、バンドホルダー１４０は別途の部品に製造されてフレーム部１１２に付着または締結されることができる。
【００２９】
ゴーグル１００において、アイカップ１１０Ｌ、１１０Ｒの間の間隔は連結バンド１３０とバンドホルダー１４０が複数の箇所で相互固定されることによって調節される。上記固定作用は連結バンド１３０に設けられた係止部とバンドホルダー１４０に設けられた固定部との間の嵌合、係止などによって達成される。
【００３０】
この実施例において、連結バンド１３０の係止部は連結バンド１３０内に形成された複数の係止孔１３１を含む。図２及び図３に示したように、係止孔１３１は連結バンド１３０の長手方向に沿って所定間隔または等間隔で連結バンド１３０の厚さ方向に穿孔されている。本実施例において、連結バンド１３０はその一端部側に４つの係止孔１３１ａ、１３１ｂ、１３１ｃ、１３１ｄを有し、係止孔１３１は略矩形の形状を有する。他の実施例において、上記係止孔は正方形、円形、楕円形などの形状を有することができる。
【００３１】
図２〜図６を参照して、バンドホルダー１４０について説明する。バンドホルダー１４０はアイカップ１１０Ｌ、１１０Ｒのフレーム部１１２の内側端部で前方に斜めに延長する。バンドホルダー１４０は自由端（バンドホルダーの前端）が狭くて後端に行くほど広くなる形状に形成されている。バンドホルダー１４０の自由端は開放されており、バンドホルダー１４０はその後端（バンドホルダーの固定端）からフレーム部１１２の内側端部に一体に連結されている。
【００３２】
バンドホルダー１４０の開放された自由端が連結バンド１３０の一端部または一端側の一部が通過する通過口１４１を形成する。また、バンドホルダー１４０は通過口１４１と連通し、連結バンド１３０の一端部または一端側の一部を収容する収容空間１４４を有する。この実施例において、バンドホルダー１４０の自由端に限定された通過口１４１は、バンドホルダー１４０の自由端に位置する第１通過口１４１ａと、第１通過口１４１ａで延長し、第１通過口１４１ａからバンドホルダー１４０の外側及び下側（後方）に向けて開放されている第２通過口１４１ｂとを含む。第１通過口１４１ａから連結バンド１３０がバンドホルダー１４０に固定される。第２通過口１４１ｂは、連結バンド１３０の挿入時、連結バンド１３０の一部が撓ったり曲がることができる空間及び連結バンド１３０を抜く時、連結バンド１３０が捻れることができる空間を提供する。この実施例において、第１通過口１４１ａと第２通過口１４１ｂは一緒にバンドホルダー１４０の自由端の開口を形成する。第１通過口１４１ａと第２通過口１４１ｂの幅（連結バンドの長手方向に直交する方向での長さ）は連結バンド１３０の幅に対応する。
【００３３】
バンドホルダー１４０は前述した固定部で、第１固定ピン１４２と第１固定ピン１４２を挟んで位置する一対の第２固定ピン１４３とを有する。連結バンド１３０とバンドホルダー１４０とを固定する時、第１固定ピン１４２は連結バンド１３０の係止孔１３１に係止されたり嵌合され、第２固定ピン１４３は連結バンド１３０の幅方向での辺縁に係止されて、連結バンド１３０が通過口１４１から抜けることを防止する。
【００３４】
バンドホルダー１４０は相互平行するように延長する内壁１４５及び外壁１４６と、内壁１４５と外壁１４６との間で延長する一対の側壁１４７とを有する。内壁１４５は略矩形であり、フレーム部１１２の内端（アイカップの対向する内側端部）から前方に斜めに延長する。内壁１４５はその後面で着用者の鼻面と向い合う。外壁１４６は前方に行くほど狭くなる。外壁１４６はフレーム部１１２の内端（アイカップの対向する内側端部）から前方に斜めに延長する。一対の側壁１４７の間の距離は連結バンド１３０の幅に対応する。連結バンド１３０がバンドホルダー１４０に固定される時、連結バンド１３０はその幅方向の両側辺縁で側壁１４７の対向面１４７ａに接触することができる。内壁１４５の前面１４５ａ、外壁１４６の後面１４６ａ及び側壁１４７の対向面１４７ａが収容空間１４４を規定する。収容空間１４４は連結バンド１３０の幅及び厚さを収容することができる大きさに形成されている。側壁１４７はバンドホルダー１４０の自由端付近で内壁１４５と外壁１４６との間で延長する。従って、側壁１４７とフレーム部１１２の内端の間に一対の側方開口１４７ｂが形成される。連結バンド１３０の一端部が収容空間１４４の内部に収容されるので、連結バンド１３０の一端が着用者の顔面または鼻面に接触しない。図２及び図６に示した例では、側壁１４７の自由端は内壁１４５の自由端と同一平面に位置する。他の実施例において、側壁１４７の自由端は内壁１４５の自由端より内側に位置することができる。
【００３５】
図５及び図６に示すように、第１通過口１４１ａは内壁１４５の自由端１４５ｂと両側壁１４７との間に限定されている。第１固定ピン１４２は第１通過口１４１ａ内に位置し、内壁１４５の前面１４５ａで突出する。第２固定ピン１４３は第１通過口１４１ａ内にまたは第１通過口１４１ａと第２通過口１４１ｂにかけて位置し、側壁１４７の対向面１４７ａで突出される。外壁１４６の自由端（前端）１４６ｂは内壁１４５の自由端１４５ｂよりアイカップ１１０Ｒに近く位置する。外壁１４６はその自由端１４６ｂと両側壁１４７の自由端を連結する一対の架橋部１４６ｃを有する。架橋部１４６ｃはその内端で側壁１４７の自由端に連結されている。また、架橋部１４６ｃの内端はラウンド処理されている。第２通過口１４１ｂは外壁１４６の自由端１４６ｂ、側壁１４７の自由端及び架橋部１４６ｃの間に規定されている。
【００３６】
第１固定ピン１４２は連結バンド１３０とバンドホルダー１４０の固定時に、係止孔１３１に係止される。第１固定ピン１４２は第１通過口１４１ａ内で連結バンド１３０の辺縁が第２固定ピン１４３に係止されたまま第１固定ピン１４２を通ることができるように突出する。連結バンド１３０のバンドホルダー１４０への円滑に挿入または押込めるよう、第１固定ピン１４２は連結バンド１３０の圧入方向または挿入方向ＩＤに対して鋭角に傾斜された斜面１４２ａを有する。斜面１４２ａは第１固定ピン１４２の内壁１４５の自由端１４５ｂを向ける側に形成されている。従って、第１固定ピン１４２の縦断面形状は略楔型または直角三角形を有する。第１固定ピン１４２の斜面１４２ａは連結バンド１３０のバンドホルダー１４０への挿入時、楔作用によって連結バンド１３０の係止孔１３１が位置する部分を押し上げる。第１固定ピン１４２の最大横断面の形状は係止孔１３１の横断面の形状に対応し、係止孔１３１の横断面の寸法と同等またはそれより若干小さい寸法を有する。また、第１固定ピン１４２は斜面１４２ａの反対側に大体垂直した係止面１４２ｂを有する。係止面１４２ｂは係止孔１３１の係止面１３３に接触する。
【００３７】
第２固定ピン１４３は第１固定ピン１４２に対して連結バンド１３０のバンドホルダー１４０への挿入方向及び挿入方向に直交する方向で離隔されている。即ち、図６に示したように、第２固定ピン１４３の後端は連結バンド１３０の挿入方向ＩＤ及び挿入方向ＩＤに直交する方向（内壁１４５の前面１４５ａに垂直した方向）で第１固定ピン１４２の前端から離隔されている。また、第２固定ピン１４３の後端は第１固定ピン１４２の係止面１４２ｂよりアイカップ１１０Ｌ、１１０Ｒに近づいて位置する。第１固定ピン１４２の前端と第２固定ピン１４３の後端は連結バンド１３０の厚さだけまたはその厚さより若干大きく離隔されている。第２固定ピン１４３はその後端で連結バンド１３０の幅方向の辺縁部分に係止される。第２固定ピン１４３は、連結バンド１３０が第１通過口１４１ａ内で係止孔１３１に第１固定ピン１４２が係止されたまま保持されるように突出されている。また、第２固定ピン１４３は連結バンド１３０のバンドホルダー１４０への圧入時に連結バンド１３０が撓ったり曲がる部分（例えば、図１６に符号２３０ａで表示された部分）に接触して連結バンド１３０の通過口１４１からの離脱を防止する斜面１４３ａを有する。図６に示したように、第２固定ピン１４３の斜面１４３ａは連結バンド１３０の圧入方向または挿入方向ＩＤに対して鈍角に傾斜されている。この実施例において、第２固定ピン１４３は内側に斜面１４３ａを有する四角柱形状を有する。他の実施例において、上記第２固定ピンは内側に斜面１４３ａを有する三角柱、半円柱などの形状を有することができる。連結バンド１３０が第１通過口１４１ａに固定されると、第１固定ピン１４２は係止孔１３１の中の一つに係止され、第２固定ピン１４３は連結バンド１３０の幅方向での辺縁に係止される。
【００３８】
図７〜図１０を参照して、本発明の実施例によるゴーグル１００におけるアイカップ１１０Ｌ、１１０Ｒの間の間隔を連結バンド１３０とバンドホルダー１４０によって調節する例を説明する。図７〜図１０はアイカップ１１０Ｌ、１１０Ｒの間の間隔を広げる例を示す。アイカップ１１０Ｌ、１１０Ｒの間の間隔を狭める例は後述される図１５〜図１７に示すように行われることができる。
【００３９】
図７において、連結バンド１３０はその最内側係止孔１３１ｄにバンドホルダー１４０の第１固定ピン１４２が係止され、その幅方向の辺縁がバンドホルダー１４０の一対の第２固定ピン１４３によって係止されてバンドホルダー１４０に固定されている。図７に示したように、連結バンド１３０が固定された状態で、ゴーグル１００が着用者の頭に固定されると、ヘッドストラップ１２０によって加えられる力は連結バンド１３０の長手方向に沿って作用する。従って、係止孔１３１の係止面１３３と第１固定ピン１４２の係止面１４２ｂとの係止状態によって連結バンド１３０はバンドホルダー１４０から分離されない。
【００４０】
図７に示した状態からアイカップ１１０Ｌ、１１０Ｒの間の間隔を広げるためには、連結バンド１３０の中間に位置した係止孔１３１ｂ、１３１ｃまたは最外側の係止孔１３１ａにバンドホルダー１４０の第１固定ピン１４２を挿入したり係止する。図８に示したように、連結バンド１３０をアイカップ１１０Ｒに対して捻ったり、アイカップ１１０Ｒを連結バンド１３０に対して捻る。そして、連結バンド１３０の一側辺縁が一対の第２固定ピン１４３の中の対応する一つから脱離しながら、連結バンド１３０の係止孔１３１ｄと第１固定ピン１４２との間の係止状態が解除される。また、第１固定ピン１４２周りの連結バンド１３０の部分１３０ａは、第１通過口１４１ａと第２通過口１４１ｂにかけて斜めに位置する。従って、連結バンド１３０は第１通過口１４１ａと第２通過口１４１ｂを通じてバンドホルダー１４０から抜けることができる。図９に示したように、連結バンド１３０をバンドホルダー１４０から所定長さだけ（例えば、係止孔１３１ｄと係止孔１３１ｃとの間の間隔だけ）抜く。または、アイカップ１１０Ｒを連結バンド１３０から上記所定距離だけ後退させる。その後、連結バンド１３０をアイカップ１１０Ｒの方に押したり、連結バンド１３０とアイカップ１１０Ｒを上記と反対に捻って、連結バンド１３０の一側辺縁が再び第２固定ピン１４３に係止されるようにし、係止孔１３１ｃに第１固定ピン１４２が係止されるようにする。そして、図１０に示したように、連結バンド１３０は中間の係止孔１３１ｃに第１固定ピン１４２が係止されてバンドホルダー１４０に固定される。このようにして、ゴーグル１００におけるアイカップ１１０Ｌ、１１０Ｒの間の間隔を調節することができる。図７〜図１０においては、右眼側アイカップ１１０Ｒに設けられたバンドホルダー１４０と連結バンド１３０によるアイカップの間隔調節が例示されている。左眼側アイカップ１１０Ｌに設けられたバンドホルダー１４０と連結バンド１３０によっても同じ方式でアイカップの間の間隔を調節することができる。
【００４１】
図１１は連結バンドの係止孔の他の例を示す。図１１に示した連結バンド１３０の係止孔１３１`は第１固定ピン１４２の斜面１４２ａに対応する斜面１３２を有する。係止孔１３１`の斜面１３２は連結バンド１３０のバンドホルダー１４０への挿入方向に対して鋭角に傾斜されている。連結バンド１３０をバンドホルダー１４０に挿入したり押込んだりする時、係止孔１３１`の斜面１３２と第１固定ピン１４２の斜面１４２ａは部分的に接触する。
【００４２】
図１２は連結バンドの他の例を示す。図１２に示した連結バンド１３０`には係止孔１３１が連結バンド１３０`の全長にかけて形成されている。連結バンド１３０`の係止孔１３１は等間隔で配列することができる。また、連結バンド１３０`の端部付近での係止孔１３１の間隔は、連結バンド１３０`の中央部分での係止孔１３１の間隔より小さいか、または大きくすることができる。
【００４３】
図１３はまた他の例の連結バンドを備えるゴーグルを示す。この実施例によるゴーグル１００の連結バンド２３０は、上記係止部として連結バンド２３０の長手方向で所定間隔または等間隔で配列された複数の係止溝２３１を有する。係止溝２３１は連結バンド２３０の厚さ方向に所定深さで形成されている。この実施例において、連結バンド２３０はその一端部側に４つの係止溝２３１ａ、２３１ｂ、２３１ｃ、２３１ｄを有する。係止溝２３１にバンドホルダー１４０の第１固定ピン１４２が係止されたり挿入される。
【００４４】
図１４を参照すれば、係止溝２３１は第１固定ピン１４２の斜面１４２ａに接触する斜面２３２を有する。係止溝２３１の斜面２３２は連結バンド１３０のバンドホルダー１４０への挿入方向に対して鋭角に傾斜している。連結バンド２３０をバンドホルダー１４０に挿入したり押込んだりする時、斜面２３２は第１固定ピン１４２の斜面１４２ａを超える。係止溝２３１の斜面２３２と第１固定ピン１４２の斜面１４２ａが連結バンド２３０の挿入方向で斜めに接触するので、第１固定ピン１４２の斜面１４２ａは楔として作用する。従って、連結バンド２３０をバンドホルダー１４０に挿入する時、係止溝２３１が位置する連結バンド２３０の部分２３０ａ（図１６参照）は容易に第１固定ピン１４２を超えることができる。また、係止溝２３１の斜面２３２の反対側面は連結バンド２３０に対して垂直する係止面２３３になっているため、第１固定ピン１４２の係止面１４２ｂに係止される。
【００４５】
図１５〜図１７を通じてアイカップ１１０Ｌ、１１０Ｒの間の間隔を連結バンド２３０とバンドホルダー１４０によって調節する例を説明する。図１５〜図１７は本発明の実施例によるゴーグル１００におけるアイカップ１１０Ｌ、１１０Ｒの間の間隔を狭める例を示す。ゴーグル１００におけるアイカップ１１０Ｌ、１１０Ｒの間の間隔を広げる例は、前述した図７〜図１０に示したように行われることができる。また、図１５〜図１７は右眼側アイカップ１１０Ｒに設けられたバンドホルダー１４０と連結バンド２３０による間隔調節を例示する。左眼側アイカップ１１０Ｌに設けられたバンドホルダー１４０と連結バンド２３０の間にも同じ方式で間隔調節を行うことができる。
【００４６】
図１５において、連結バンド２３０はその最外側係止溝２３１ａがバンドホルダー１４０の第１固定ピン１４２に係止され、その幅方向の辺縁は一対の第２固定ピン１４３によって係止されたバンドホルダー１４０に固定されている。図１５に示したように、連結バンド２３０が固定された状態で、ゴーグル１００が着用者の頭に固定されると、ヘッドストラップ１２０によって加えられる力は連結バンド２３０の長手方向に沿って作用する。従って、連結バンド２３０は第１固定ピン１４２の係止面１４２ｂと係止溝２３１の係止面２３３との係止状態によってバンドホルダー１４０から分離されない。
【００４７】
図１５に示した状態からアイカップ１１０Ｌ、１１０Ｒの間の間隔を狭めるためには、連結バンド２３０の中間に位置した係止溝２３１ｂ、２３１ｃまたは最内側係止溝２３１ｄをバンドホルダー１４０の第１固定ピン１４２に係止されるようにする。図１６に示したように、連結バンド２３０をバンドホルダー１４０の内方へ挿入したり押込んだりする。すると、最外側の係止溝２３１ａは第１固定ピン１４２の斜面１４２ａを超える。また、第１固定ピン１４２の斜面１４２ａが加える楔作用によって、係止溝２３１ａが位置する連結バンド２３０の部分２３０ａが第１固定ピン１４２上で撓ったり曲がりながら連結バンド２３０はバンドホルダー１４０の内部に進入する。また、この時、第２固定ピン１４３が連結バンド２３０の幅方向での辺縁部分をかけているので、連結バンド２３０の部分２３０ａはバンドホルダー１４０から脱離されない。図１５に示した状態から連結バンド２３０をバンドホルダー１４０の内部に所定長さだけ（例えば、係止溝２３１ａと係止溝２３１ｂとの間の間隔だけ）押込めば、または、アイカップ１１０Ｒを連結バンド２３０の方に上記所定長さだけ前進させると、図１６に示したように、係止溝２３１ａは第１固定ピン１４２を通って第２通過口１４１ｂに位置するようになり、図１７に示したように係止溝２３１ｂが第１固定ピン１４２に係止される。図１５〜図１７に示したように、バンドホルダー１４０の内部に連結バンド２３０を押込む過程で、第２固定ピン１４３は連結バンド２３０の幅方向の辺縁を持続的に拘束する。このようにして、ゴーグル１００におけるアイカップ１１０Ｌ、１１０Ｒの間の間隔が調節されることができる。
【００４８】
図１８は他の例の第１固定ピンを備えるゴーグルを示す。図１８に示したゴーグルにおいて、図１１に示した連結バンド１３０が採用されており、第１固定ピン２４２は前述した第１固定ピン１４２と異なって係止孔１３１`の斜面１３２に面する側に対応する斜面を有しない。第１固定ピン２４２と係止孔１３１`との係止は、第１固定ピン２４２の係止面１４２ｂと係止孔１３１`の係止面１３３との間の係止状態によって達成される。アイカップ１１０Ｌ、１１０Ｒの間の間隔を狭めるために、連結バンド１３０をバンドホルダー１４０に挿入する時、係止孔１３１`の斜面１３２が第１固定ピン２４２を超える。即ち、連結バンド１３０をバンドホルダー１４０に挿入する時、斜面１３２と第１固定ピン２４２の前端の間に前述した楔作用と類似して係止孔１３１`が位置する連結バンド１３０の部分を押し上げる力が作用するようになって、第１固定ピン２４２は円滑に連結バンド１３０の係止孔１３１`に挿入することができる。
【００４９】
図１９は前述した他の例の第１固定ピンと図１４に示す連結バンド２３０が用いられたゴーグルを示す。図１９に示したゴーグルにおいて、第１固定ピン２４２はその係止面１４２ｂで係止溝２３１の係止面２３３に係止される。連結バンド２３０をバンドホルダー１４０に挿入する時、係止溝２３１の斜面２３２は第１固定ピン２４２に超えて、アイカップ１１０Ｌ、１１０Ｒの間の間隔を狭めることができる。
【００５０】
上述した実施例において、バンドホルダー１４０はフレーム部１１２の内端にそれぞれ配置されている。他の実施例において、一つのバンドホルダー１４０が一側のフレーム部１１２の内端のみに配置され、他側のフレーム部１１２の内端には連結バンド１３０、１３０`、２３０の他方の端部が付着または締結されることもできる。
【００５１】
また、上述した実施例において、バンドホルダー１４０はフレーム部１１２から前方に斜めに延長されている。他の実施例において、バンドホルダー１４０はフレーム部１１２に平行するように延長されることもできる。
【００５２】
また、上述した実施例において、バンドホルダー１４０の外壁１４６の自由端１４６ｂは内壁１４５の自由端１４５ｂよりアイカップ１１０Ｌ、１１０Ｒに近づいて位置している。他の実施例において、内壁１４５の自由端１４５ｂが外壁１４６の自由端１４６ｂよりアイカップに近づいて位置することができる。このような実施例では、第１固定ピン１４２は外壁の自由端に位置する。
【００５３】
また、上述した実施例において、連結バンド１３０、１３０`、２３０は複数の係止孔１３１、１３１`または複数の係止溝２３１を備える。他の実施例において、連結バンドは一端に複数の係止孔を備え、他端に複数の係止溝を備えることもできる。
【００５４】
また、上述した実施例において、一つの連結バンド１３０、１３０`、２３０によって一対のアイカップ１１０Ｌ、１１０Ｒが連結される。他の実施例において、ゴーグルは互いに異なる長さの複数の連結バンド１３０、１３０`、２３０と一緒に提供されることができる。このような例での連結バンドは両端に少なくとも一つの係止孔１３１、１３１`または係止溝２３２を有することができる。
【００５５】
以上で説明した本発明は、上述した実施例及び添付された図面によって限定されるのではなく、本発明の技術的思想を逸脱しない範囲内で様々な置換、変形及び変更が可能であることは本発明が属する技術分野において通常の知識を有する者にとって自明である。
【図１】
0005938761.tif 000002
【図２】
0005938761.tif 000003
【図３】
0005938761.tif 000004
【図４】
0005938761.tif 000005
【図５】
0005938761.tif 000006
【図６】
0005938761.tif 000007
【図７】
0005938761.tif 000008
【図８】
0005938761.tif 000009
【図９】
0005938761.tif 000010
【図１０】
0005938761.tif 000011
【図１１】
0005938761.tif 000012
【図１２】
0005938761.tif 000013
【図１３】
0005938761.tif 000014
【図１４】
0005938761.tif 000015
【図１５】
0005938761.tif 000016
【図１６】
0005938761.tif 000017
【図１７】
0005938761.tif 000018
【図１８】
0005938761.tif 000019
【図１９】
0005938761.tif 000020